(57)【要約】【課題】照明装置の盤面上の色度シフトを防止する。【解決手段】蛍光体の発光立上り時間と発光立下り時間がそれぞれ１ｍ秒以上の第１の放電ランプ１ａと、発光立上り時間と発光立下り時間がそれぞれ１ｍ秒未満の第２の放電ランプ１ｂを設け、各放電ランプ１ａ，１ｂの蛍光体の発光量が一致するように印加電圧、周波数、デューティ比を各放電ランプ１ａ，１ｂで個別に調整する。【選択図】図１
2005142069.tif 000002
【特許請求の範囲】
【請求項１】
水銀と希ガスが封入され蛍光体が内面に塗布された放電ランプの調光を行う照明装置において、
前記蛍光体が発光立上り時間と発光立下り時間についてそれぞれ１ｍ秒以上の特性を持つ第１の放電ランプと、
前記蛍光体が発光立上り時間と発光立下り時間についてそれぞれ１ｍ秒未満の特性を持つ第２の放電ランプと、
前記第１の放電ランプの蛍光体による発光量と前記第２の放電ランプの蛍光体による発光量とが一致するように調光の際の印加電圧、周波数、デューティ比のうちの少なくとも１つを各放電ランプで個別に調整する調整手段と、
を有することを特徴とする照明装置。
【請求項２】
前記第１の放電ランプと前記第２の放電ランプをそれぞれ複数備えたことを特徴とする請求項１記載の照明装置。
【請求項３】
前記第１の放電ランプと前記第２の放電ランプは、外面に電極を備えた外部電極型の放電ランプであることを特徴とする請求項１又は２記載の照明装置。
【発明の詳細な説明】
【技術分野】
【０００１】
本発明は、放電ランプを用いた照明装置に関する。
【背景技術】
【０００２】
照明装置は、液晶などを用いた表示装置に光源として内蔵される。従来の照明装置は、水銀と希ガスを封入しＲＧＢの蛍光体を内面に塗布した放電ランプを複数本備え、表示装置における映像信号に対応した調光を行うことによって動画表示に対応した照明を実現している。調光は、各放電ランプで同一の制御となっている。放電ランプとしては、電極を内面に備えた内部電極型の他に、電極を外面に備えた外部電極型が知られている（特許文献１参照）。
【特許文献１】実開昭６１−１２６５５９号公報
【発明の開示】
【発明が解決しようとする課題】
【０００３】
しかしながら、水銀から放射される紫外線に対する発光体の発光立上り・立下り特性が製造上のバラツキから各放電ランプの蛍光体で異なるため、照明装置の盤面上の色度がシフトしてしまうという問題があった。
【０００４】
本発明は、上記に鑑みてなされたものであり、その目的とするところは、盤面上の色度シフトを防止し得る照明装置を提供することにある。
【課題を解決するための手段】
【０００５】
第１の本発明に係る照明装置は、水銀と希ガスが封入され蛍光体が内面に塗布された放電ランプの調光を行う照明装置において、前記蛍光体が発光立上り時間と発光立下り時間についてそれぞれ１ｍ秒以上の特性を持つ第１の放電ランプと、前記蛍光体が発光立上り時間と発光立下り時間についてそれぞれ１ｍ秒未満の特性を持つ第２の放電ランプと、前記第１の放電ランプの蛍光体による発光量と前記第２の放電ランプの蛍光体による発光量とが一致するように調光の際の印加電圧、周波数、デューティ比のうちの少なくとも１つを各放電ランプで個別に調整する調整手段と、を有することを特徴とする。
【０００６】
本発明にあっては、蛍光体の発光立上り時間と発光立下り時間がそれぞれ１ｍ秒以上の放電ランプと、発光立上り時間と発光立下り時間がそれぞれ１ｍ秒未満の放電ランプを設け、各放電ランプの蛍光体の発光量が一致するように各放電ランプの印加電圧、周波数、デューティ比を個別に調整するようにしたことで、各放電ランプからの全光束の色度シフトをなくすことができ、照明装置の盤面上の色度シフトを防止することができる。
【０００７】
第２の本発明は、上記照明装置において、前記第１の放電ランプと前記第２の放電ランプをそれぞれ複数備えたことを特徴とする。
【０００８】
第３の本発明は、上記各照明装置において、前記第１の放電ランプと前記第２の放電ランプは、外面に電極を備えた外部電極型の放電ランプであることを特徴とする。
【発明の効果】
【０００９】
本発明に係る照明装置によれば、盤面上の色度シフトを防止することができる。
【発明を実施するための最良の形態】
【００１０】
以下、本発明の実施の形態について図面を用いて説明する。
【００１１】
図１は、一実施の形態に係る照明装置の概略構成を示す斜視図である。同図の照明装置は、発光体の発光立上り時間と発光立下り時間がそれぞれ１ｍ秒以上の特性を持つ第１の放電ランプ１ａと、発光立上り時間と発光立下り時間がそれぞれ１ｍ秒未満の第２の放電ランプ１ｂが拡散板２の表面に対して水平方向に並ぶように筐体３に規則的に配置された構成である。ここでは、第１の放電ランプ１ａと第２の放電ランプ１ｂを総称して放電ランプ１と呼ぶ。
【００１２】
本照明装置は、液晶等を用いた表示装置に内蔵され、表示装置における映像信号に対応した調光を行うことによって動画表示に対応した照明を行うものである。
【００１３】
放電ランプ１は、ガラスランプ管の両端部に電極が設けられ、内壁面にＲＧＢの蛍光体が塗布され、水銀と希ガスが封入された状態で両端部が封止された構成である。放電ランプ１の両端部の電極はリード線を介して照明装置のインバータに接続される。希ガスには、Ａｒ、Ｋｒ、Ｘｅ、Ｎｅなどの不活性ガスが用いられる。放電ランプ１は、ガラスランプ管の内面に電極が設けられた内部電極型でもよいし、外面に電極が設けられた外部電極型でもよい。外部電極型とした場合には、内部電極型に比べて製造が容易、寿命が長いといった利点がある。
【００１４】
放電ランプ１は、後述する制御信号によってインバータから電極へ電力が供給されると、放電ランプ１の両端の電極間でアーク放電が発生し、水銀から放射される紫外線によって蛍光体が励起され、可視光を放射する。
【００１５】
図２は、発光体の発光立上り・立下り特性を示すグラフである。同図（ａ）は、放電ランプ１ａの蛍光体の特性であり、同図（ｂ）は、放電ランプ１ｂの蛍光体の特性である。すなわち、同図（ａ）は、発光立上り時間と発光立下り時間がそれぞれ１ｍ秒以上の蛍光体の特性であり、同図（ｂ）は、発光立上り時間と発光立下り時間がそれぞれ１ｍ秒未満の蛍光体の特性である。同図（ａ）（ｂ）のそれぞれについて制御信号と発光強度を示す。
【００１６】
制御信号の波形は、調光の際の印加電圧値、周波数、デューティ比によって定まるものであり、制御信号の波形によって発光体の発光強度、発光時間が制御される。同図では、一例として制御信号がローレベルのときに発光立上りとなり、制御信号がハイレベルのときに発光立下りとなる状態を示す。同図（ａ）では、発光立上りは１ｍ秒以上の時間がかかり、発光立下りは尾を引いた状態を示す。同図（ｂ）では、制御信号のハイレベルとローレベルの切替えに応じてほぼ瞬時に発光立上りと発光立下りが行われる状態を示す。
【００１７】
本照明装置の調光では、第１の放電ランプ１ａ、第２の放電ランプ１ｂのそれぞれの発光体の発光量（図２（ａ）（ｂ）において斜線で示す面積）が一致するように、印加電圧値、周波数、デューティ比のうちの少なくとも１つを各放電ランプ１ａ，１ｂで個別に調整するようにする。
【００１８】
例えば、第１の放電ランプ１ａについて、図２（ａ）の制御信号のデューティ比を調整することにより、制御信号を図３（ａ）に示すような波形とし、第１の放電ランプ１ａの発光量が図３（ｂ）に示す第２の放電ランプ１ｂの発光量に一致するようにする。ここで、図２（ｂ）と図３（ｂ）は同一グラフである。
【００１９】
したがって、本実施の形態によれば、蛍光体の発光立上り時間と発光立下り時間がそれぞれ１ｍ秒以上の第１の放電ランプ１ａと、発光立上り時間と発光立下り時間がそれぞれ１ｍ秒未満の第２の放電ランプ１ｂを設け、各放電ランプ１の蛍光体の発光量が一致するように印加電圧、周波数、デューティ比を各放電ランプ１で個別に調整するようにしたことで、各放電ランプ１からの全光束の色度シフトをなくすことができ、照明装置の盤面上の色度シフトを防止することができる。
【００２０】
なお、本照明装置の構成は、図１に示したものに限られるものではなく、例えば図４に示すように、第１の放電ランプ１ａと第２の放電ランプ１ｂを導光板４の表面に対して垂直方向に並ぶように配置してもよい。
【図面の簡単な説明】
【００２１】
【図１】一実施の形態に係る照明装置の概略構成を示す斜視図である。
【図２】発光体の発光立上り・立下り特性を示すグラフであり、同図（ａ）は第１の放電ランプの発光体の特性、同図（ｂ）は第２の放電ランプの発光体の特性である。
【図３】発光体の立上り・立下り特性の別の例を示すグラフであり、同図（ａ）は第１の放電ランプについてデューティ比を調整したときの発光体の特性、同図（ｂ）は第２の放電ランプの発光体の特性である。
【図４】照明装置の概略構成の別の例を示す斜視図である。
【符号の説明】
【００２２】
１ａ，１ｂ…放電ランプ
２…拡散板
３…筐体
４…導光板
【図１】
2005142069.tif 000003
【図２】
2005142069.tif 000004
【図３】
2005142069.tif 000005
【図４】
2005142069.tif 000006